(57)【要約】【課題】被検物に設けられた円筒状の内周面にセンサ部品を安定的に取り付けることが可能な構成のセンサ部品固定具を提供する。【解決手段】センサ部品固定具１０が、棒状部材が曲げ加工されてなり、印刷用シリンダ１に設けられた円筒状の内周面２に沿って取り付けられる互いに平行な二つの弧状部２２，２２を有したホルダ２０と、このホルダ２０における二つの弧状部２２，２２の一端側同士を掛け渡すように設けられてＩＣタグ４０を保持するホールド３０とから構成される。【選択図】        図１
2004334733.tif 000002
【特許請求の範囲】
【請求項１】
被検物に設けられた円筒状の内周面にセンサ部品を固定するセンサ部品固定具であって、
棒状部材が曲げ加工されてなり、前記内周面に沿って取り付けられる互いに平行な二つの弧状部を有した支持部材と、
前記支持部材における前記二つの弧状部の一端側同士を掛け渡すように設けられて前記センサ部品を保持するセンサ部品保持部材とから構成されたことを特徴とするセンサ部品固定具。
【請求項２】
被検物に設けられた円筒状の内周面にセンサ部品を固定するセンサ部品固定具であって、
帯状部材が曲げ加工されてなり、前記内周面に沿って取り付けられる弧状部を有した支持部材と、
前記支持部材の一端側に設けられて前記センサ部品を保持するセンサ部品保持部材とから構成されたことを特徴とするセンサ部品固定具。
【請求項３】
前記センサ部品がＩＣタグであることを特徴とする請求項１又は２記載のセンサ部品固定具。
【発明の詳細な説明】
【０００１】
【発明の属する技術分野】
本発明は、被検物にセンサ部品を固定するセンサ部品固定具に関し、特に、油等により汚れ易い環境におかれる被検物にセンサ部品を取り付けるのに好適なセンサ部品固定具に関する。
【０００２】
【従来の技術】
従来、工場や倉庫内に保管されている部品や製品等の管理には、これら部品や製品等に貼り付けられるバーコードシールと、このバーコードシールに接触させてその情報（管理情報）を読み取るリーダーとを用いる方法が一般的であった。しかし、近年ではＩＣタグ（或いはＩＤタグ）を用いた多情報・非接触型の情報管理システムが構築されてきている（下記の非特許文献参照）。このＩＣタグはＲＦＩＤ（Ｒａｄｉｏ  Ｆｒｅｑｕｅｎｃｙ  Ｉｄｅｎｔｉｆｉｃａｔｉｏｎ）と呼ばれる非接触型のセンサ部品であり、リーダーより送信された電波を受けて生じた誘導起電力により発信回路を起動させてリーダーに信号を送り返す機能を有している。このＩＣタグはその表面が油やインク等により汚れていてもリーダーとの間で正確な情報のやり取りを行うことができることから、例えば印刷工場や印刷機製造工場などにおいて多数保管されている印刷用シリンダ（外周面に文字や模様等が刻印されている回転体）の情報（例えば、その印刷用シリンダの加工情報や商品名、或いは製造後に発送される先の顧客名などの情報）の管理に用いられている。
【０００３】
図５はこのような機能を有するＩＣタグを被検物に固定するセンサ部品固定具の従来例であり、印刷用シリンダ１０１に設けられた円筒状の内周面１０２に沿って取り付けられるものである。このセンサ部品固定具１１０は、上記内周面１０２に材料の弾性（元の形状、すなわち図中に示す矢印Ａ，Ａ′の方向に拡がろうとする復元力）を利用して取り付けられる弧状のホルダ（支持部材）１２０と、このホルダ１２０の一端側に取り付けられたホールド（センサ部品保持部材）１３０とから構成される。ホルダ１２０はインクや油等により汚れ易い印刷用シリンダから取り外して適宜洗浄することができるようにするため、錆や腐食に強いステンレス鋼等から構成される。
【０００４】
【非特許文献１】
インターネット［平成１５年４月２２日検索］  ：凸版印刷株式会社ホームページ
＜ＵＲＬ：ｈｔｔｐ：／／ｗｗｗ．ｔｏｐｐａｎ．ｃｏ．ｊｐ／ａｂｏｕｔｕｓ／ｒｅｌｅａｓｅ／ａｒｔｉｃｌｅ６６８．ｈｔｍｌ＞
【０００５】
【発明が解決しようとする課題】
しかしながら、上記従来のセンサ部品固定具１１０においては、ステンレス鋼が一般に複雑な加工が困難であることから、ホルダ１２０は図５に示すように一本の棒状部材を単純に弧状に曲げ加工したものとするとともに、ＩＣタグ１４０を保持するホールド１３０は蔓巻ばね状にしてその内部にＩＣタグ１４０を挿着する形態を採らざるを得なかった。このためホルダ１２０は内周面１０２に取り付けられた状態であってもその姿勢は不安定であり、リーダーとの間で正確な情報のやり取りができなくなる場合があった。
【０００６】
本発明はこのような問題に鑑みてなされたものであり、被検物に設けられた円筒状の内周面にセンサ部品を安定的に取り付けることが可能な構成のセンサ部品固定具を提供することを目的としている。
【０００７】
【課題を解決するための手段】
このような目的を達成するため、本発明に係るセンサ部品固定具は、被検物（例えば、実施形態における印刷用シリンダ１）に設けられた円筒状の内周面にセンサ部品（例えば、実施形態におけるＩＣタグ４０）を固定するセンサ部品固定具であって、棒状部材が曲げ加工されてなり、上記内周面に沿って取り付けられる互いに平行な二つの弧状部を有した支持部材（例えば、実施形態におけるホルダ２０）と、支持部材における上記二つの弧状部の一端側同士を掛け渡すように設けられてセンサ部品を保持するセンサ部品保持部材（例えば、実施形態におけるホールド３０）とから構成される。
【０００８】
また、もう一つの本発明に係るセンサ部品固定具は、被検物（例えば、実施形態における印刷用シリンダ１）に設けられた円筒状の内周面にセンサ部品（例えば、実施形態におけるＩＣタグ４０）を固定するセンサ部品固定具であって、帯状部材が曲げ加工されてなり、上記内周面に沿って取り付けられる弧状部を有した支持部材（例えば、実施形態におけるホルダ８０）と、支持部材の一端側に設けられてセンサ部品を保持するセンサ部品保持部材（例えば、実施形態におけるホールド９０）とから構成される。
【０００９】
【発明の実施の形態】
以下、図面を参照して本発明の好ましい実施形態について説明する。図１及び図２は本発明の第１実施形態に係るセンサ部品固定具１０を示している。本第１実施形態に係るセンサ部品固定具１０は、印刷用シリンダ１の内部に軸方向に延びて設けられた円筒状の内周面２に取り付けられるものであり、上記内周面２に沿って取り付けられる互いに平行な二つの弧状部２２，２２を有したホルダ（支持部材）２０と、このホルダ２０における上記二つの弧状部２２，２２の一端側同士を掛け渡すように設けられてセンサ部品であるＩＣタグ４０を保持するホールド（センサ部品保持部材）３０とから構成される。
【００１０】
ホルダ２０は図２にも示すように、一端側に二列平行に並んだホールド取り付け部２４，２４を有するとともに、他端側に折り返し部２６を有しており、これらのホールド取り付け部２４，２４と折り返し部２６との間は上記二つの弧状部２２，２２となっている。これら二つの弧状部２２，２２を図中に示す矢印Ｂ，Ｂ′の方向に狭めた状態でホルダ２０全体を上記内周面２の内側に挿入して手を放せば、弧状部２２，２２は元の形状に戻ろうとする（すなわち図中に示す矢印Ａ，Ａ′の方向に拡がろうとする）復元力を発揮するので、ホルダ２０は二つの弧状部２２，２２を上記内周面２に密着した状態で固定される（図３（Ａ），（Ｂ）参照）。なお、このような形状を有するホルダ２０は、一本の棒状部材（細長い丸棒）を中間部において折り返して一旦「コ」の字状に形成した後、更に弧状に曲げることにより得られる。また、ホルダ２０は、印刷用シリンダ１がインクや油等により汚れた場合にその内周面２より取り外して適宜洗浄等ができるよう、錆や腐食等に強い金属材料からなるステンレス鋼等から構成される。ステンレス鋼は一般に複雑な加工が困難であるが、上記のような曲げ加工は比較的容易に行うことが可能である。
【００１１】
ホールド３０は、ホルダ２０のホールド取り付け部２４，２４が挿着される円筒状のホルダ挿着部３４，３４を両端に有した基部３２と、この基部３２の中央部より突出して円筒状に設けられたＩＣタグ保持部３６とを有して構成されている。このホールド３０は金属材料からなる板状部材をプレス加工して製造される。
【００１２】
ＩＣタグ４０には小型のＩＣチップ（図示せず）が内蔵されており、リーダー５（図３（Ｂ）参照）より送信された電波を受けて生じた誘導起電力により発信回路を作動させてリーダー５に信号を送り返す構成になっている。これによりＩＣタグ４０に記録された種々の情報（加工情報や商品名など）がリーダー５に読み取られ、或いはリーダー５より送信された情報がＩＣタグ４０に書き込まれる。
【００１３】
このように、ＩＣタグ４０とリーダー５との間の信号のやり取りは電磁誘導を媒介とした非接触形式で行われるため、ＩＣタグ４０の表面がインクや油等により汚れていてもリーダー５との間で正確な情報伝達を行うことができるのであるが、本実施形態に係るセンサ部品固定具１０では、内周面２に沿って取り付けられるホルダ２０が互いに平行な二つの弧状部２２，２２を有した構成となっているため、ホルダ２０全体を（すなわちＩＣタグ４０を）内周面２に対して安定的に取り付けることが可能である。また、ホルダ２０は上述のように一本の棒状部材を曲げ加工することにより容易に製造できるため、コストを安価に抑えることができる。更に、ＩＣタグ４０を保持するホールド３０はホルダ２０を構成する二つの弧状部２２，２２の一端側（ホールド取り付け部２４，２４）同士を掛け渡すように設けられているため、ＩＣタグ４０のホルダ２０に対する取り付けも安定的なものとすることができる。これによりリーダー５との間で常に正確な情報のやり取りを行うことが可能となる。
【００１４】
図４は第２実施形態に係るセンサ部品固定具７０を示している。この第２実施形態に係るセンサ部品固定具７０は、前述の第１実施形態に係るセンサ部品固定具１０と同様に印刷用シリンダ１の内周面２に沿って取り付けられるものであり、上記内周面２に沿って取り付けられる弧状部８２を有したホルダ（支持部材）８０と、このホルダ８０の一端側に設けられて上述のＩＣタグ４０を保持するホールド（センサ部品保持部材）９０とから構成される。ここで、ホルダ８０はステンレス鋼等の錆や腐食等に強い金属材料からなる帯状部材が弧状に曲げ加工されてなり、ホールド９０はプレス加工された後、溶接等によりホルダ８０に取り付けられる。
【００１５】
本実施形態に係るセンサ部品固定具７０では、円筒状の内周面２に沿って取り付けられる弧状のホルダ８０が内周面２の軸方向（印刷用シリンダ１の回転軸方向）に拡がる幅を有した帯状部材からなるため、ホルダ８０全体を（すなわちＩＣタグ４０を）内周面２に対して安定的に取り付けることが可能である。また、ホルダ８０は上述のように一つの帯状部材を曲げ加工することにより容易に製造できるため、コストを安価に抑えることができる。また、ホールド９０は幅のあるホルダ８０に取り付けられるため、ＩＣタグ４０のホルダ８０に対する取り付けも安定的なものとすることができる。これによりリーダー５との間で正確な情報のやり取りを行うことが可能となる。
【００１６】
これまで本発明の好ましい実施形態について説明してきたが、本発明の範囲は上述の実施形態に示したものに限定されない。例えば、上述の実施形態では、ホールド３０（或いはホールド９０）に保持されるセンサ部品はＩＣタグであったが、本発明に係るセンサ部品固定具により固定するセンサ部品は必ずしもＩＣタグでなくてもよい。しかし、本発明では、上述の実施形態において示したように、被検物（上記例では印刷用シリンダ１）がインクや油等により汚れ易い状況において使用される場合には、ホールド３０（或いはホールド９０）により保持して用いるセンサ部品はＩＣタグであることが好ましい。
【００１７】
また、上述の第１実施形態に係るセンサ部品固定具１０では、円筒状の内周面２に沿って取り付けられる互いに平行な二つの弧状部２２，２２を有したホルダ２０は一本の棒状部材が曲げ加工された構成となっていたが、これは弧状に曲げ加工された二本の棒状部材が互いに平行になるように連結された構成であってもよい。また、上述の第１及び第２実施形態では、本発明に係るセンサ部品固定具が取り付けられる対象（被検物）は印刷用シリンダであったが、本センサ部品固定具が取り付けられる対象は、円筒状の内周面を有したものであれば、特に限定されるものではない。
【００１８】
【発明の効果】
以上説明したように、本発明に係るセンサ部品固定具では、被検物に設けられた円筒状の内周面に沿って取り付けられる支持部材が互いに平行な二つの弧状部を有した構成となっているため、支持部材を（すなわちセンサ部品を）被検物に対して安定的に取り付けることが可能である。また、支持部材は一本の棒状部材を曲げ加工することにより容易に製造できるため、コストを安価に抑えることができる。更に、センサ部品を保持するセンサ部品保持部材は支持部材を構成する二つの弧状部の一端側同士を掛け渡すように設けられているため、センサ部品の支持部材に対する取り付けも安定的なものとすることができる。
【００１９】
また、もう一つの本発明に係るセンサ部品固定具では、被検物に設けられた円筒状の内周面に沿って取り付けられる弧状部が幅を有した帯状部材からなるため、支持部材を（すなわちセンサ部品を）被検物に対して安定的に取り付けることが可能である。また、支持部材は一つの帯状部材を曲げ加工することにより容易に製造できるため、コストを安価に抑えることができる。また、センサ部品保持部は幅のある支持部材に取り付けられるため、センサ部品の支持部材に対する取り付けも安定的なものとすることができる。
【図面の簡単な説明】
【図１】本発明の第１実施形態に係るセンサ部品固定具の斜視図である。
【図２】上記センサ部品固定具の分解斜視図である。
【図３】（Ａ）は印刷用シリンダに取り付けられた状態のセンサ部品固定具を示しており、（Ｂ）は（Ａ）における矢視ＩＩＩＢ−ＩＩＩＢから見た断面図である。
【図４】本発明の第２実施形態に係るセンサ部品固定具の斜視図である。
【図５】従来のセンサ部品固定具の一例を示す斜視図である。
【符号の説明】
１      印刷用シリンダ
２      内周面
５      リーダー
１０    センサ部品固定具
２０    ホルダ
２２    弧状部
２４    ホールド取り付け部
２６    折り返し部
３０    ホールド
３２    基部
３４    ホルダ挿着部
３６    ＩＣタグ保持部
４０    ＩＣタグ
【図１】
2004334733.tif 000003
【図２】
2004334733.tif 000004
【図３】
2004334733.tif 000005
【図４】
2004334733.tif 000006
【図５】
2004334733.tif 000007